(57)【特許請求の範囲】
【請求項１】
地形改造のために草木と、表土または風化土とが除去された後の地盤上に設けられる植物生育基盤の材料であって、前記除去された草木の多数の破砕片であって爪楊枝ないし割り箸の大きさを有しまたささくれた端部を有する破砕片と、前記除去された表土、または前記除去された表土および風化土の混合物とからなる、植物生育基盤材料。
【請求項２】
地形改造のために草木と、表土または風化土とが除去された後の地盤上に設けられる植物生育基盤の材料であって、前記除去された草木の多数の破砕片であって爪楊枝ないし割り箸の大きさを有しまたささくれた端部を有する破砕片と、前記除去された表土、または前記除去された表土および風化土と、肥料と、バインダと、多数の団粒剤との混合物からなる、植物生育基盤材料。
【請求項３】
前記破砕片は水で濡れた破砕片である、請求項１または２に記載の植物生育基盤材料。
【請求項４】
前記破砕片はその繊維または繊維の束からなる１または複数の毛羽を有する表面を備える、請求項１または２に記載の植物生育基盤材料。
【請求項５】
請求項１−４のいずれかに記載の植物生育基盤材料を前記地盤上に敷いてなる、植物生育基盤。
【請求項６】
請求項１−４のいずれかに記載の植物生育基盤材料を前記地盤上にベルトコンベヤで搬送し、前記ベルトコンベヤを移動する間に前記植物基盤材料を前記ベルトコンベヤから前記地盤上に放出し、これにより、前記植物生育基盤材料を前記地盤上に敷く、植物生育基盤の形成方法。
【発明の詳細な説明】
【０００１】
【発明の属する技術分野】
本発明は、道路やダムの構築、宅地やゴルフ場の造成等のために山岳地帯や森林地帯にこれらを切り開いて形成された造成地すなわち地形改造地における平坦面や法面の緑化のために設けられる植物生育基盤、その材料およびその形成方法に関する。
【０００２】
【従来の技術】
従来、地形改造のために引き抜かれあるいは切り払われた草木、および、切り取られあるいは掘削された表土や風化土は、その地形改造地から他所に運び去られ、当該改造地における平坦面や法面の緑化のために設けられる植物の生育基盤の土壌材料としては用いられていない。前記植物生育基盤は、前記地形改造地外の土地で得られた土壌材料を用いて形成されている。しかし、前記地形改造地の周辺植生との調和のためには、前記植物育成基盤が当該地形改造地から得られた土壌材料で形成されることが望ましい。
【０００３】
また、前記植物生育基盤の形成は、パイプ中を空気搬送された前記土壌材料を前記平坦面や法面に吹き付けることにより行われている。この空気搬送には、その搬送物の種類が制限されまた土の粒径が所定の範囲内になければならず、このため、土の粒径が広範囲にわたる、前記地形改造地から得られた土壌材料は用いられない。
【０００４】
【発明が解決しようとする課題】
本発明の目的は、地形改造地における周辺植生との調和に最も適する植物生育基盤の材料およびその構造を提供するとともに、該材料を用いて植物生育基盤を形成する方法を提供することにある。
【０００５】
【課題を解決するための手段】
本発明は、草木と、表土または風化土とを除去してなる地形改造地の平坦面や法面に設けられる植物生育基盤の材料として、前記地形改造地の造成のために除去された前記表土または風化土と除去した草木を破砕してなる多数の破砕片であって爪楊枝ないし割り箸の大きさを有しまたささくれた端部を有する破砕片との混合物、あるいは、これらの土と、前記草木の多数の破砕片、肥料、バインダおよび団粒剤との混合物を利用することを特徴とする。前記植物生育基盤は、前記基盤材料の何れかを地盤上に敷いてなる。また、前記基盤材料を構成する前記混合物中の破砕片は、予め水で濡らしたもの、その繊維または繊維の束からなる１または複数の毛羽を有する表面を備えるものを用いることができる。
【０００６】
これらの植物生育基盤は、前記材料を前記地盤上にベルトコンベヤで運び、該ベルトコンベヤを移動する間に前記材料を前記ベルトコンベヤから前記地盤上に放出することにより形成することができる。
【０００７】
【作用および効果】
本発明によれば、植物生育基盤を構成する材料は、該基盤が設けられる地盤の表層部にあった表土または風化土と該土を土壌とした草木の多数の破砕片であって爪楊枝ないし割り箸の大きさを有しまたささくれた端部を有する破砕片との混合物、あるいは、前記土と前記破砕片、肥料、バインダおよび団粒剤とを含む混合物からなることから、前記植物生育基盤はその周辺の土と同じ微生物、種子、その他の腐植物等を含む。したがって、前記生育基盤は、その周囲の環境と同じ植生の復元性能すなわち潜在植生の復元性能を有し、地形改造に伴う自然破壊あるいは周囲植生との不調和を回避することができる。前記爪楊枝ないし割り箸の大きさの破砕片、すなわち薄く細長い破砕片は、しなやかであるために破砕片同士が互いに絡み合いやすい。相互に絡み合った破砕片は前記土を保持する機能を有するため、前記土の流亡、法面からのずり落ち等の防止に役立つ。また、前記混合物中のバインダは高分子系の樹脂、セメント等からなり、これを混入することにより、前記バインダを介して土粒子および多数の破砕片を相互に接着し、これらが風で飛ばされないようにすることができる。さらに、前記混合物中の団粒剤は、土の平均粒径の調整に寄与し、前記基盤の保水性、保肥性、排水性等の向上に資する。さらに、前記破砕片を予め水で濡らしておくことにより、前記破砕片への前記土粒子の付着性が高まり、前記破砕片と前記土との混じり合いをよくすることができる。さらに、破砕片として、表面に前記破砕片の繊維またはその繊維束からなる１または複数の毛羽を有するものまたは先端がささくれているものは、そうでないものと比べて大きい表面積すなわち前記土に対する大きい接触面積を有し、また、前記毛羽やささくれは雨水による前記土の流動を妨害することから、地形改造地における周辺植生との調和に資する前記基盤中の土の流失を最小限に抑えることができる。さらに、前記破砕物は互いに絡み合い、あるいはさらに前記毛羽やささくれが地盤に対する前記基盤のアンカー作用をなすことから、前記基盤の耐浸食性を向上させることができる。
【０００８】
前記表土または風化土中の混合破砕物は、また、前記生育基盤に播種され、あるいは移植される植物の成長に適当な空隙を作り、さらに、経時的に腐熟して成長のための肥料となる。前記混合物中に有機質肥料または化学肥料のような肥料を混入する場合には、前記肥料は、前記破砕物の腐塾までの間の栄養供給源として役立つ。
【０００９】
また、本発明によれば、前記表土または風化土、または、これらの土を含む混合物からなる材料を前記地盤上にベルトコンベヤで運び、そのコンベヤベルトを移動しながらその先端から前記材料を放出することによりこれを前記地盤上に敷くことができる。これには、従来の空気搬送による被搬送物の種類や土の粒度に制限はなく、粒度未調整の前記土および前記破砕片の搬送が可能である。
【００１０】
【発明の実施の形態】
図１を参照すると、起伏のある山林を切り開いて、すなわち山林の雑草や樹木を抜き取りあるいは切り払い、また、これらの草木が生えていた山林の表土、さらには該表土下の風化土を切り取りあるいは掘削することにより形成された道路１０と、その路側に連なる斜面または法面１２とが示されている。
【００１１】
法面１２には、その緑化のため、芝、花、野草、樹木等の植物の種が播かれ、あるいは緑化植物が移植される床である植物生育基盤（以下、単に「基盤」という。）１４が設けられている。
【００１２】
基盤１４は、道路１０の構築のために前記山林から除去された前記草木を破砕してなる多数の破砕片と、前記表土、または前記表土および前記風化土を混合してなる土（以下、単に「土」という。）との混合物を敷き均してなる。
【００１３】
基盤１４を形成するための材料（以下「基盤材料」という。）として、前記破砕片および前記土の外にさらに肥料、バインダおよび団粒剤を含む混合物、前記多数の破砕片の堆肥化物すなわち腐熟物と前記土との混合物、または、前記土のみからなるものを用いることができる。
【００１４】
基盤１４は、前記基盤材料を法面（前記土の除去後における地盤面またはモルタルが吹き付けられた地盤面）１２に敷き均して形成される。
【００１５】
いずれの基盤材料もその土地固有のものを含みあるいは土地固有のものからなる。また、前記土は、その土地に固有の微生物や、種子、腐植物等を含む。このことから、基盤１４にはその土地の環境に適した植生が生えやすい。したがって、基盤１４は、道路１０の構築のために一時的に破壊された自然環境が元の植生と同じ植生を有する環境に復元することに寄与する。
【００１６】
前記草木の破砕片は、前記樹木（その幹、枝、根）、雑草等を破砕装置、例えばタブグラインダ（米国、モバーグ社製）で破砕することにより得ることができる。前記破砕片は、好ましくは、爪楊枝ないし割り箸ぐらいの大きさのものとする。
【００１７】
ところで、前記タブグラインダは前記樹木の幹、枝等をその繊維の伸長方向に剥ぎ取るようにして破砕するため、前記タブグラインダを用いて得られた前記樹木の破砕片は、比較的薄く細長い形状を有する。薄く細長い破砕片は、しなやかであるために破砕片同士が互いに絡み合いやすい。相互に絡み合った破砕片は前記土を保持する機能を有するため、前記土の流亡、法面からのずり落ち等の防止に役立つ。
【００１８】
また、前記タブグラインダを用いて得られた破砕片は、その細い一本の繊維または複数の繊維の束からなる１または複数の毛羽を有する表面すなわち毛羽立った表面を有し、あるいは、多数の細い繊維質からなる亀裂のある端部すなわちささくれた端部を有する。前記破砕片の毛羽やささくれは破砕片の表面積の増大すなわち該破砕片と前記土との接触面積の増大に寄与し、これが雨水による前記土の流動を妨害し、前記土の流失量を最小限にする。また、前記毛羽やささくれは基盤１４の法面１２に対するアンカーとしての作用をなし、法面１２上における基盤１４の安定性に寄与する。
【００１９】
前記破砕片は、例えば、これらを平坦地に２ｍ  ほどの高さに積み上げ、散水し、鶏糞を混ぜて腐熟させることにより、堆肥とすることができる。
【００２０】
土中の前記破砕片はまた前記土の空隙率を高める。基盤１４中での植物の育成のためには、前記土と前記破砕片またはその堆肥との混合比は、５：５（体積比）とすることが望ましい。前記土の体積が大きすぎると空隙率が小さく、このために前記植物の根の呼吸が困難となり、逆に、前記破砕物の体積が大きすぎると空隙率が大きく、保水性が低下する。
【００２１】
また、前記土は、採取土を振動ふるい分け機に入れて、該採取土からプラスチック廃材、鉄くず、大きい石等を取り除くことにより得る。
【００２２】
前記土および前記破砕片の外に肥料、バインダおよび団粒剤を含む基盤材料の前記肥料は、有機質肥料および化学肥料の双方または何れか一方とすることができる。有機質肥料としては、例えば堆肥や魚肥を用いることができる。また、化学肥料としては化成肥料、肥効時期や肥効量を調節するためにコーティングされた化成肥料（コーティング肥料）等を用いることができる。これらの肥料は、基盤１４に播かれる種または移植された植物の育成のための栄養源、または、前記基盤材料中の破砕片が腐熟して堆肥となるまでの間の栄養源となる。
【００２３】
また、前記バインダは、高分子系の接着剤やセメントからなり、前記破砕片相互または前記破砕片と前記土とを接着する作用をなす。前記バインダは、前記基盤材料を前記地盤上に敷き均した後に硬化するものが選択される。前記バインダにより接着された前記破砕片、あるいは前記土は、基盤１４から吹き飛ばされにくくし、これにより、基盤１４が維持される。
【００２４】
さらに、前記団粒剤は、高分子系の材料（例えば、ハイモシード１００Ｐ  ハイモ株式会社製）からなり、土質構造、例えば、前記土の平均粒径を調整し、基盤１４の保水性、保肥性および排水性を高める。
【００２５】
前記混合物の成分比は、例えば、土：破砕片：肥料：バインダ：団粒剤＝９００：４５０：６：５：５（重量比）とすることができる。前記破砕材は、これを前記土と混合する前に水で濡らしておくこと、例えば前記破砕材に散水することにより、前記破砕材に対する土粒子の付着性を改善し、基盤１４中における前記破砕片と前記土粒子との混ざり合いの均一性を高めることができる。
【００２６】
法面１２上への基盤１４の形成は、ベルトコンベヤ１６を使用し、該ベルトコンベヤで法面１２上へ前記基盤材料を運び、ベルトコンベヤ１６から法面１２上に前記基盤材料を放出することにより行うことができる。
【００２７】
図示のベルトコンベヤ１６は、いわゆるテレスコピック式のものからなり、伸縮可能の二段のベルトコンベヤ部１８，２０を有する。
【００２８】
ベルトコンベヤ１６はその下段のベルトコンベヤ部１８の基部においてトラック２２の荷台に据え付けられ、上下方向軸線および水平軸線の周りにそれぞれ回転可能である。また、下段のベルトコンベヤ部１８と上段のベルトコンベヤ部２０とは、互いに、水平軸線の周りに回転可能に接続されている。ベルトコンベヤ１６の前記水平軸線の周りの回転による傾斜角度は、両コンベヤ部１８，２０の接続部分に固定された索２１を引っ張りまたは戻すことにことにより変更することができる。さらに、上段のベルトコンベヤ部２０の先端には、該コンベヤ部から搬送物を受け取る受け取り板２４が水平軸線の周りに回転可能に取り付けられている。さらに、トラック２２の荷台には、ベルトコンベヤ部１８に搬送物を供給するためのホッパ部２６が設けられている。
【００２９】
このベルトコンベヤ１６によれば、トラック２２の荷台のホッパ部２６に前記基盤材料を投入することにより、前記基盤材料が下段のベルトコンベヤ部１８および上段のコンベヤ部２０を順次に搬送され、受け取り板２４上に至り、該板から押し出されて法面１２に落下する。この間、ベルトコンベヤ１６を上下方向軸線の周りに角度的に回転させ、ベルトコンベヤ１６長さを調整し、あるいは、受け取り板２４の上段のベルトコンベヤ２０に対する傾斜角度を変えることにより、前記材料の落下位置を連続的に変え、これにより、前記材料を法面１２上に敷き、基盤１４を形成することができる。
【００３０】
ベルトコンベヤ１６によれば、前記基盤材料を大量に運搬することができ、また、任意の厚さの基盤１４を形成することができる。トラック２２の移動により、ベルトコンベヤの配置位置を容易に変更することができる。
【００３１】
前記基盤材料からなる基盤１４が設置される箇所は、法面１２に限らず、平坦面であってもよい。また、本発明は、前記道路の構築のほか、ダムの構築、住宅地やゴルフ場の造成等の他の地形改造にも適用することができる。
【図面の簡単な説明】
【図１】
法面に植物生育基盤を形成している状態を示す説明図である。
【符号の説明】
１２  法面
１４  植物生育基盤
１６  ベルトコンベヤ
【図１】
0003541655.tif 000002